(57)【要約】【課題】  上辺を巾着状に絞って上両角領域の容量を少なくしない事で、矩形板でも無理なく収納できる、紐引き閉じ構造の背負い袋の提供を課題にする。【解決手段】  底壁９の前後へ寄り壁２を折り立て、底壁９の左右両側へ屈壁１０を折り立て、該寄り壁２と該屈壁１０との側辺を連合させて器体１を形成し、寄り壁２の上部へ一対の内穴６と一対の外穴７とを横並びの滑穴７として打抜き、一方の屈壁１０の下部中央に固定された紐４を他方の内穴６へ外から通して隣の外穴７から外へ出し、器体１の開口部５を跨ぐ状態で前後の外穴７どうしを紐４の架け域１６で繋ぎ、紐４の引き域１４を引く事で架け域１６が引き込まれて開口部５は閉じ、引き域１４を両肩に掛けて器体１を背負う。【選択図】  図１
2011120808.tif 000002
【特許請求の範囲】
【請求項１】
器体１の前後方向に対で有する寄り壁２の各々の上部へ滑穴３を設け、前後対面の滑穴３どうしに紐４を通して繋ぎ、滑穴３に通った紐４を器体１の側下部で固定し、該紐４を引く事によって滑穴３で紐４が滑り込み、該滑り込みによって器体１の開口部５が閉じ、該滑り込みによって引き出た紐４を肩に掛けて背負う事を特徴とした引き寄せ背負い袋。
【請求項２】
寄り壁２の各々へ、滑穴３を四箇所ずつ設け、四箇所有する滑穴３に於いて、内側一対を内穴６とし、外側一対を外穴７とし、器体１の一方の側下部に固定された紐４の端を他方の内穴６に通して器体１の内に入れ、該紐４の端を横隣に位置する他方の外穴７に通して器体１の外に出し、該紐４の端は前後対面の外穴７どうしで連結し、器体１の他方の側下部に固定された紐４に於いても、面対称で同様な紐４の通し方をした事を特徴とした請求項１記載の引き寄せ背負い袋。
【請求項３】
対になった内穴６に左右双方から通った紐４の交差した領域を管８内に通し、管８が持ち手に成る事を特徴とした請求項２記載の引き寄せ背負い袋。
【発明の詳細な説明】
【技術分野】
【０００１】
本発明は、紐を引く事によって開口部が閉じる、紐引き閉じ背負い袋に関する。
【背景技術】
【０００２】
従来の紐引き閉じ背負い袋は、巾着状に縮めて閉じるナップザックがあり、前後の壁を引き寄せて閉じる構造の袋では、側壁架け閉じ袋があった。
【先行技術文献】
【特許文献】
【０００３】
【特許文献１】特開２００９−２０８８０３号
【発明の概要】
【発明が解決しようとする課題】
【０００４】
ナップザックは巾着状に縮めて閉じる構造である事から、縮めた領域だけ容量が減り、上部領域を両側から縮めるので三角形状に成って矩形の板では上の両角が入り難くなり、側壁架け閉じ袋では背負う事ができず、本発明では前記従来技術の問題解決を課題にする。
【課題を解決するための手段】
【０００５】
器体の開口部を絞るように縮めるのではなく、前後の寄り壁の上辺どうしを引き寄せて閉じる構造にし、前後の対面で位置する寄り壁の上部に開けた滑穴へ、器体の側下に固定された紐を通す構造が基本であり、各寄り壁の上部に四箇所の滑穴を横に並べて開け、四箇所有する滑穴に於いて、内側一対を内穴とし、外側一対を外穴とし、器体の一方の側下に固定された紐の上端を、遠い方に位置する他方の内穴から器体の中へ通して隣に位置する他方の外穴から外へ出し、器体の開口部を前後に跨ぐ状態で外穴から出た紐を連結し、前記の紐の通し構造は、他方の側下に固定された紐に於いても面対象の同じ構造で行い、隣り合う内穴の間では紐が交差しており、該交差領域をスライド可能状態で管に通して束ねる。
【発明の効果】
【０００６】
寄り壁の上部を引き寄せて閉じる構造である事から上角領域の収縮が無く、矩形の板状物でも楽に収納でき、一方の側下に固定された紐の上端を、他方の内穴から入れて他方の外穴から出して開口部を跨いで前後に繋いだ事で、器体の側下固定の紐の引き域を引く事で内穴と外穴とをスライドして開口部を跨ぐ紐の架け域は引き込まれ、該引き込みによって寄り壁の上辺は互いに引き寄せられて開口部は閉じ、紐の引き域は引き出されて伸びるので、該引き域を両肩に掛けて器体を背負う事ができ、滑穴を内穴と外穴の二対にした事で摩擦固定ができ、器体の閉じ状態を固定できる。
【図面の簡単な説明】
【０００７】
【図１】開口状態要部透視斜視図（実施例１）
【図２】閉じ状態要部透視斜視図
【図３】手提げ状態要部透視斜視図
【図４】簡易型開口状態要部透視斜視図（実施例２）
【発明を実施するための形態】
【０００８】
前後に対面する各々の寄り壁の上部へ四箇所の滑穴を横に並べて打抜き、滑穴の内側一対を内穴とし、外側一対を外穴とし、器体の側下固定の紐の上を内穴と外穴に通して器体の開口部を跨いで前後で連結し、器体側下固定の紐を引く事で、寄り壁が縮まる事無く開口部を閉じて背負える袋を実現した。
【実施例１】
【０００９】
図１は開口状態要部透視斜視図であり、谷折山折で表示する折り曲げ方向は外側からを基準にし、器体１を正面から見て、向かって右を一方とし、向かって左を他方とする。器体１に於いて、矩形の底壁９の前後辺へ寄り壁２を延設して垂直に折り上げ、底壁９の左右辺へ屈壁１０を垂直に折り上げ、寄り壁２と屈壁１０との側辺を連結して器体１は形成され、器体１の天面は空いている事から開口部５とする。屈壁１０の中央へ天地に貫く折線で屈線１１を入れ、屈線１１は折線である事が望ましいが縫合線や溶着線であっても良い。屈壁１０の上部に直角に折れ曲がったＶ折線１２を入れる事が望ましく、Ｖ折線１２は山折線が望ましいが、谷折線であっても良い。屈線１１は器体１への収納物が少ない場合は谷折線が望ましく、収納物が多くなれば屈壁１０を外へ出す必要があるので、屈線１１は山折線に成るが、Ｖ折線１２から上の屈線１１を谷折線にしても良い。Ｖ折線１２は屈線１１を横切っているので、屈壁１０の折れ曲がり癖を直す働きを果たす。
【００１０】
器体１を構成する素材は限定ではなく、紙袋と同様の紙素材又は米袋と同様の多重構造の紙素材が望ましいのであるが、ポリなどの人工樹脂、不織布、織り布などの素材であっても良い。寄り壁２に於いて、図示していないが、上部へ厚紙などの補強板を貼り合わせる事が望ましく、該補強板を有する上部へ滑穴３を開け、滑穴３の数は二つであっても良いが四つである事が望ましい。該補強板の図示を省いた理由は従来技術だからである。四箇所有する滑穴３どうしの位置関係は限定ではないが、水平に並ぶ状態が望ましく、高さは限定ではないが、寄り壁２の上辺よりも二センチ少々下がった位置が望ましい。滑穴３の大きさは紐４の太さによって加減され、紐４が難無く滑り込める大きさが望ましい。
【００１１】
紐４は市販品を用いるのであり、形状は断面が丸い丸紐が望ましいが、断面が平たい平紐（テープ）であっても良く、丸紐では縒り合わせた縒り紐であっても良いが、使用中に捩れるので組紐が望ましい。紐４は一本であっても良いが二本である事が望ましく、紐４を2本使用するならば左右面対称の通し構造に成り、紐４の中央部を何処に置くかは限定ではないが、底壁９の側端中央に通して固定する事が望ましく、底壁９の側端と屈壁１０の下部とは隣接域であり、屈壁１０の下部を経由する事から屈壁１０の下部への固定と同じ箇所として表示する。一方の屈壁１０の下部中央に紐４の中央を固定し、紐４の端を遠くに位置する他方の内穴６へ外から通して器体１の内へ入れ、隣に位置する他方の外穴７から外へ出した紐４の端を寄り壁２の天辺を跨ぎ、前後に対面する外穴７どうしから出た紐４の端を繋ぎ、該繋ぎ構造は限定ではないが結び構造が望ましく、該結び箇所を結び部１３にする。
【００１２】
紐４の部分領域に名称を付けるならば、屈壁１０下部の固定箇所から内穴６までの領域を引き域１４とし、器体１の内面に入っている内穴６と外穴７の間領域を摩擦域１５とし、前後で対面して重なる外穴７どうしを繋いでいる領域を架け域１６とする。該架け域１６は寄り壁２の天辺の上を跨いだ状態で架かっているが、寄り壁２の側辺を巻く状態で架かっていても良い。前記した引き域１４と摩擦域１５と架け域１６は指定領域に位置している時の名称であり、紐４のスライドによって長さは変化する。該引き域１４は二本に分かれた長い領域であり、二本に分かれていると掴み難い事から束ね部１７で部分的に束ねる構造が望ましく、該束ね部１７は複数箇所であっても良いが、一箇所でも充分であり、形成箇所は架け域１６を開口部５の外周へ余裕を持って巻く事ができる長さを確保可能な位置が望ましい。隣り合う内穴６どうしの間では左右の紐４が交差した状態で垂れ下がるので、該交差箇所を管８に滑り可能な状態で通して束ね、管８の長さは隣り合う内穴６の間と概略同寸が望ましい。
【００１３】
図２は閉じ状態要部透視斜視図であり、紐４の引き域１４を外側（矢印方向）へ引く事で、架け域１６の領域は外穴７から引き込まれて短くなり、架け域１６が短く成る作用で寄り壁２の上辺は前後で引き寄せられ、屈壁１０の屈線１１は屈折し、器体１の開口部５は閉じる。架け域１６上に位置する結び部１３は、寄り壁２の上辺に乗っているかどうかで紐４が均等に引き込まれたかどうかの目印になる。又、開口部５を開口する時には、結び部１３が摘みの役割を果たすので、架け域１６を引き出し易くなる。
【００１４】
内穴６と外穴７との間に紐４の摩擦域１５が接しているので、摩擦域１５の摩擦力と内穴６と外穴７とに通された摩擦力とで紐４は固定されており、開口部５の閉じた状態を保持できる。同一面で隣り合う内穴６どうしの間に位置する紐４の交差領域は管８の中へ通されているので、紐４の交差域が垂れ下がるのを防止している。引き域１４は長い領域の二本の紐４であるが、束ね部１７で部分的に束ねられているので、引き域１４を束ねた状態で持ち易く成る。該束ね部１７の構造は限定ではなく、ビーズなどの別具を用いても良いが、結び構造で束ね部１７を形成する事が望ましい。
【００１５】
図３は手提げ状態要部透視斜視図であり、該手提げ状態にする方法は、管８を引き上げるだけで形成でき、開口状態閉じ状態のどちらからでも簡単に手提げ状態に移行できる。管８を持ち上げれば、隣り合う内穴６間の交差領域の紐４を管４の内面で滑らせる事ができ、その結果、管８から下の領域にトンネル部１９が形成される。管８を握って手提げで使用しても良いし、該トンネル部１９に腕を通す事で肩掛けにしたり、肘掛にしたりして使用する事もできる。
【実施例２】
【００１６】
図４は簡易型の実施例２を示す開口状態要部透視斜視図であり、各々の寄り壁２には一対の滑穴３を形成する。一方の屈壁１０の下部中央に固定された紐４の引き域１４は、近くに位置する一方の滑穴３へ器体１の内側から通して外側へ出し、前後で対面して重なり合う滑穴３どうしを架け域１６で繋ぐ。架け域１６と引き域１４との重なり合う上下関係は限定ではないが、該引き域１４に対して該架け域１６を上にした方が引き閉じは効率的に行える。
【００１７】
この簡易型では滑穴３が一対である事から内穴６と外穴７とに分離しておらず、よって摩擦域１５を有していないので、摩擦力によって開口部５を閉じた状態で固定し難い構造であり、閉じ状態の固定は、収納物と器体との自重によって行われるが、紐４をテープ状の平紐にする事で、滑穴３と紐４がスライドする時に摩擦が大きくなるので、該スライド摩擦によって紐４を固定し、閉じ状態の固定をしても良い。
【００１８】
滑穴３の間に一対の固定穴２０を開け、該固定穴２０へ取手紐２１を通し、該取手紐２１の両端を玉結び２２にして固定穴２０で塞き止め固定をする。
【産業上の利用可能性】
【００１９】
本発明物は、背負う事のできる紙袋を実現するための構造であるが、ポリなどの人工樹脂、不織布、織り布、皮などを素材にする袋あるいは鞄に於いても適用できる。
【符号の説明】
【００２０】
１  器体
２  寄り壁
３  滑穴
４  紐
５  開口部
６  内穴
７  外穴
８  管
【図１】
2011120808.tif 000003
【図２】
2011120808.tif 000004
【図３】
2011120808.tif 000005
【図４】
2011120808.tif 000006